(57)【要約】【課題】矩形台紙から必要な紙片を打ち抜いた残りの不要紙片の割合を小さくでき形状変形も容易な把手付き包装用紙箱を提供する。【解決手段】矩形厚紙の一方の縦辺縁より他方の縦辺縁に向け矩形状の左前糊代板片、左前側板片、前側板片、右前側板片、右前糊代板片、右後糊代板片、右後側板片、後側板片、左後側板片、左後糊代板片の板片を横方向中央を通る縦折り目線に対称に形成し、それらの上下辺縁に蓋板片と底板片を上下対称に延出形成する。左右の前糊代板片、左右の後糊代板片の上辺縁を繋ぐ門型把手を形成して中央に縦切り目を入れて４個の逆Ｌ字形状の把手板片を形成する。全体を中央縦折り目線で山折りして重ね、各糊代板片、把手板片の接合面を糊付けし、前後の側板片を前後に広げて箱胴部を形成した上で底板片、蓋板片を折り曲げて箱底、箱蓋を形成し、糊付けした左右把手の重なり部分を糊付けして門型把手とする。【選択図】図１
2011148537.tif 000002
【特許請求の範囲】
【請求項１】
一枚の矩形厚紙から組み立てられる把手付き包装用紙箱であって、
前記矩形厚紙の縦方向に伸びる一方の縦辺縁の中央部分より対向する他方の縦辺縁に向けて縦折り目線を介して横方向に順に連設した同一縦幅で矩形状の左前糊代板片、左前側板片、前側板片、右前側板片、右前糊代板片、右後糊代板片、右後側板片、後側板片、左後側板片、左後糊代板片の１０個の側板片と、
前記左前側板片、前側板片、右前側板片、右後側板片、後側板片、左後側板片の各板片の上縁から横折り目線を介して延出形成した左前蓋板片、前蓋板片、右前蓋板片、右後蓋板片、後蓋板片、左後蓋板片の６個の蓋板片と、
前記左前側板片、前側板片、右前側板片、右後側板片、後側板片、左後側板片の各板片の下縁から横折り目線を介して前記左前蓋板片、前蓋板片、右前蓋板片、右後蓋板片、後蓋板片、左後蓋板片の各蓋板片を横折り目線回りに裏返した形状に延出形成した左前底板片、前底板片、右前底板片、右後底板片、後底板片、左後底板片の６個の底板片と、
前記左前糊代板片、右前糊代板片、右後糊代板片、左後左糊代板片の各板片の上縁に折り目線を介することなく連設した左前把手板片、右前把手板片、右後把手板片、左後把手板片の逆Ｌ字形状の４個の把手板片とから構成され、
前記右前糊代板片と右後糊代板片との間の縦折り目線を中央縦折り目線とするとき、前記右前把手板片と右後把手板片とは該中央縦折り目線の延長部折り目を介して連設してあり、
前記逆Ｌ字形状の左前把手板片と右前把手板片は、その逆Ｌ字形状の屈曲内側周縁がそれぞれ前記左前蓋板片と前蓋板片、前蓋板片と右前蓋板片の周縁と切り目にて分離形成され、逆Ｌ字形状の屈曲外側周縁は前記右前把手板片と右後把手板片との連設部を除き前記矩形厚紙の周縁で形成され、逆Ｌ字形状における前記左前糊代板片、右前糊代板片に連設されてない側のそれぞれの端縁は縦方向の切り目を挟んで隣接した状態に形成してあり、
前記中央縦折り目線よりも前記一方の縦辺縁側に配置された１３個の板片と、前記他方の縦辺縁側に配置された１３個の板片とはそれぞれの形状と配置とが前記中央縦折り目線に対して線対称に形成してあり、
これら２６個の板片にて箱を組み立てる際は、それらを形成した前記矩形厚紙を前記中央縦折り目線にて山折りして重ね合わせ、前記右前糊代板片と右後糊代板片、右前把手板片と右後把手板片、左前糊代板片と左後糊代板片、左前把手板片と左後把手板片の各接合面をそれぞれ糊付けし、
次に前記左前糊代板片と左前側板片、右前側板片と右前糊代板片、右後糊代板片と右後側板片、左後側板片と左後糊代板片とをそれぞれの間の縦折り目線にて角度９０°に谷折りし、前記左前側板片と前側板片、前側板片と右前側板片、右後側板片と後側板片、後側板片と左後側板片とはそれぞれの間の縦折り目線にて角度９０°に山折りして矩形断面の箱胴部を形成し、
次に前記箱胴部の形成により生じる前記糊付けした左前把手板片と左後把手板片からなる左把手片と、右前把手板片と右後把手板片からなる右把手片との重なり部分の接合面を糊付けして門型把手を形成し、
次に前記左後底板片、右後底板片、左前底板片、右前底板片の各底板片を横折り目線にて前記箱胴部の底側に山折りし、その上に前記後底板片、前底板片を順に山折りして重ね合わせて前底板片の周縁部を接着テープにて後側板片又は後底板片に固定して箱底を形成し、
次に前記左後蓋板片、右後蓋板片、左前蓋板片、右前蓋板片の各蓋板片を横折り目線にて前記箱胴部の蓋側に山折りし、その上に前記後蓋板片、前蓋板片を順に山折りして重ね合わせて前蓋板片の周縁部を接着テープにて後側板片又は後蓋板片に固定して箱蓋を形成してあることを特徴とする把手付き包装用紙箱。
【請求項２】
請求項１に記載の把手付き包装用紙箱において、前記左前糊代板片と左前側板片、右前側板片と右前糊代板片、右後糊代板片と右後側板片、左後側板片と左後糊代板片とをそれぞれの間の縦折り目線にて角度９０°に谷折りすることに代えて、９０°を超える角度θに谷折りし、前記左前側板片と前側板片、前側板片と右前側板片、右後側板片と後側板片、後側板片と左後側板片とはそれぞれの間の縦折り目線にて前記角度θと等しい角度に山折りして前記箱胴部を断面六角形に形成してあることを特徴とする把手付き包装用紙箱。
【請求項３】
請求項１に記載の把手付き包装用紙箱において、前記前側板片と後側板片、それらの上下に延出形成された前蓋板片と前底板片、後蓋板片と後底板片の６個の板片を無くして左前側板片と右前側板片、右後側板片と左後側板片とをそれぞれ縦折り目線を介して連設した構成とし、
前記左前糊代板片と左前側板片、右前側板片と右前糊代板片、右後糊代板片と右後側板片、左後側板片と左後糊代板片とをそれぞれの間の縦折り目線にて角度１３５°に谷折りし、前記左前側板片と右前側板片、右後側板片と左後側板片とをそれぞれの間の縦折り目線にて角度９０°に山折りすることにより断面矩形の箱胴部を形成し、
次に前記左後底板片、右前底板片、右後底板片、左前底板片の各底板片を横折り目線にて前記箱胴部の底側に順に山折りして重ね合わせて左前底板片の周縁部を接着テープにて右後側板片又は右後底板片に固定して箱底を形成し、
次に前記左後蓋板片、右前蓋板片、右後蓋板片、左前蓋板片の各底板片を横折り目線にて前記箱胴部の蓋側に順に山折りして重ね合わせて左前蓋板片の周縁部を接着テープにて右後側板片又は右後蓋板片に固定して箱蓋を形成してあることを特徴とする把手付き包装用紙箱。
【発明の詳細な説明】
【技術分野】
【０００１】
本発明は、菓子、チョコレート等を収納して販売するのに好適な把手付き包装用紙箱に関する。
【背景技術】
【０００２】
この種の把手付き包装用紙箱の構成法については従来、多数の技術が開示されている（例えば、特許文献１、２、３参照）。図９はその一つ（特許文献１参照）である把手付き包装用紙箱１００の外形図である。この把手付き包装用紙箱１００は図１０の展開図に示すように、周壁を構成すべく順次連設された側壁１１１ａ、ｂおよび端壁１１２ａ、ｂと、側壁１１１ａ、ｂの上端に連設された上フラップ１１４ａ、ｂと、側壁１１１ａ、ｂおよび端壁１１２ａ、ｂの下端に連設された底フラップ１１３ａ、ｂ、ｃ、ｄと、上フラップ１１４ａ、ｂに連設されたハンドル片１１８ａ、ｂと、端壁１１２ａ、ｂの上端に連設された固定片１１５ａ、ｂから構成されている。
【０００３】
このような展開図で表される把手付き包装用紙箱１００のブランクは、図中に示した１枚の四角形台紙１０１を打ち抜いて形成される。ところで図中に斜線で示した部分の紙片は不要紙片として廃棄処分される。廃棄処分する紙片の割合が高いと原材料費がかさみ、資源の無駄になる。従来の把手付き包装用紙箱１００には、この不要となる紙片の割合が高いという問題があった。また、従来の把手付き包装用紙箱１００は箱胴断面が矩形のものが殆どで包装用としては面白みに欠けるという問題もあった。
【先行技術文献】
【特許文献】
【０００４】
【特許文献１】特開２００３−２００９２１号公報
【特許文献１】特開平１１−００１２２２号公報
【特許文献１】特開平１１−２０８６４０号公報
【発明の概要】
【発明が解決しようとする課題】
【０００５】
本発明は、従来技術のこうした問題点を解決するためになされたもので、その課題は四角形台紙から把手付き包装用紙箱の構成に必要な紙片を打ち抜き形成した残りの不要紙片の割合を小さくすることができ、且つ同じ設計思想により箱胴断面を四角形以外の面白みのある形状とすることが容易な把手付き包装用紙箱を提供することにある。
【課題を解決するための手段】
【０００６】
前記課題を解決するための請求項１に記載の発明は、一枚の矩形厚紙から組み立てられる把手付き包装用紙箱であって、矩形厚紙の縦方向に伸びる一方の縦辺縁の中央部分より対向する他方の縦辺縁に向けて縦折り目線を介して横方向に順に連設した同一縦幅で矩形状の左前糊代板片、左前側板片、前側板片、右前側板片、右前糊代板片、右後糊代板片、右後側板片、後側板片、左後側板片、左後糊代板片の１０個の側板片と、左前側板片、前側板片、右前側板片、右後側板片、後側板片、左後側板片の各板片の上縁から横折り目線を介して延出形成した左前蓋板片、前蓋板片、右前蓋板片、右後蓋板片、後蓋板片、左後蓋板片の６個の蓋板片と、左前側板片、前側板片、右前側板片、右後側板片、後側板片、左後側板片の各板片の下縁から横折り目線を介して左前蓋板片、前蓋板片、右前蓋板片、右後蓋板片、後蓋板片、左後蓋板片の各蓋板片を横折り目線回りに裏返した形状に延出形成した左前底板片、前底板片、右前底板片、右後底板片、後底板片、左後底板片の６個の底板片と、左前糊代板片、右前糊代板片、右後糊代板片、左後左糊代板片の各板片の上縁に折り目線を介することなく連設した左前把手板片、右前把手板片、右後把手板片、左後把手板片の逆Ｌ字形状の４個の把手板片とから構成され、右前糊代板片と右後糊代板片との間の縦折り目線を中央縦折り目線とするとき、右前把手板片と右後把手板片とは該中央縦折り目線の延長部折り目を介して連設してあり、逆Ｌ字形状の左前把手板片と右前把手板片は、その逆Ｌ字形状の屈曲内側周縁がそれぞれ左前蓋板片と前蓋板片、前蓋板片と右前蓋板片の周縁と切り目にて分離形成され、逆Ｌ字形状の屈曲外側周縁は右前把手板片と右後把手板片との連設部を除き前記矩形厚紙の周縁で形成され、逆Ｌ字形状における左前糊代板片、右前糊代板片に連設されてない側のそれぞれの端縁は縦方向の切り目を挟んで隣接した状態に形成してあり、中央縦折り目線よりも一方の縦辺縁側に配置された１３個の板片と、他方の縦辺縁側に配置された１３個の板片とはそれぞれの形状と配置とが中央縦折り目線に対して線対称に形成してあり、これら２６個の板片にて箱を組み立てる際は、それらを形成した矩形厚紙を中央縦折り目線にて山折りして重ね合わせ、右前糊代板片と右後糊代板片、右前把手板片と右後把手板片、左前糊代板片と左後糊代板片、左前把手板片と左後把手板片の各接合面をそれぞれ糊付けし、次に左前糊代板片と左前側板片、右前側板片と右前糊代板片、右後糊代板片と右後側板片、左後側板片と左後糊代板片とをそれぞれの間の縦折り目線にて角度９０°に谷折りし、左前側板片と前側板片、前側板片と右前側板片、右後側板片と後側板片、後側板片と左後側板片とはそれぞれの間の縦折り目線にて角度９０°に山折りして矩形断面の箱胴部を形成し、次に箱胴部の形成により生じる糊付けした左前把手板片と左後把手板片からなる左把手片と、右前把手板片と右後把手板片からなる右把手片との重なり部分の接合面を糊付けして門型把手を形成し、次に左後底板片、右後底板片、左前底板片、右前底板片の各底板片を横折り目線にて箱胴部の底側に山折りし、その上に後底板片、前底板片を順に山折りして重ね合わせて前底板片の周縁部を接着テー��にて後側板片又は後底板片に固定して箱底を形成し、次に左後蓋板片、右後蓋板片、左前蓋板片、右前蓋板片の各蓋板片を横折り目線にて箱胴部の蓋側に山折りし、その上に後蓋板片、前蓋板片を順に山折りして重ね合わせて前蓋板片の周縁部を接着テープにて後側板片又は後蓋板片に固定して箱蓋を形成してあることを特徴とする把手付き包装用紙箱である。
【０００７】
このような構成の把手付き包装用紙箱は素材である矩形厚紙のうち最終的に不要となる不要紙片の全体に占める割合を小さくすることができる。そのため素材を有効活用できて素材費を少なくできる利点を有する。また、門型把手の下端が左右の糊代板片に繋がり、その糊代板片は箱胴部の側面高さ方向全体に繋がって箱胴部を支持しているため吊り下げ強度が高い。従って、高さの高い箱や重い収容物を入れる箱も容易に製作できる利点を有する。
【０００８】
また、請求項２に記載の発明は、請求項１に記載の把手付き包装用紙箱において、左前糊代板片と左前側板片、右前側板片と右前糊代板片、右後糊代板片と右後側板片、左後側板片と左後糊代板片とをそれぞれの間の縦折り目線にて角度９０°に谷折りすることに代えて、９０°を超える角度θに谷折りし、左前側板片と前側板片、前側板片と右前側板片、右後側板片と後側板片、後側板片と左後側板片とはそれぞれの間の縦折り目線にて角度θと等しい角度に山折りして箱胴部を断面六角形に形成してあることを特徴とする把手付き包装用紙箱である。
【０００９】
このような構成の把手付き包装用紙箱も素材である矩形厚紙のうち最終的に不要となる不要紙片の全体に占める割合を小さくすることができる。そのため素材を有効活用できて素材費を少なくできる利点を有する。また、箱胴部の断面が六角形であるため断面矩形の箱よりも包装用として面白みがある。
【００１０】
また、請求項３に記載の発明は、請求項１に記載の把手付き包装用紙箱において、前側板片と後側板片、それらの上下に延出形成された前蓋板片と前底板片、後蓋板片と後底板片の６個の板片を無くして左前側板片と右前側板片、右後側板片と左後側板片とをそれぞれ縦折り目線を介して連設した構成とし、左前糊代板片と左前側板片、右前側板片と右前糊代板片、右後糊代板片と右後側板片、左後側板片と左後糊代板片とをそれぞれの間の縦折り目線にて角度１３５°に谷折りし、左前側板片と右前側板片、右後側板片と左後側板片とをそれぞれの間の縦折り目線にて角度９０°に山折りすることにより断面矩形の箱胴部を形成し、次に左後底板片、右前底板片、右後底板片、左前底板片の各底板片を横折り目線にて箱胴部の底側に順に山折りして重ね合わせて左前底板片の周縁部を接着テープにて右後側板片又は右後底板片に固定して箱底を形成し、次に左後蓋板片、右前蓋板片、右後蓋板片、左前蓋板片の各底板片を横折り目線にて箱胴部の蓋側に順に山折りして重ね合わせて左前蓋板片の周縁部を接着テープにて右後側板片又は右後蓋板片に固定して箱蓋を形成してあることを特徴とする把手付き包装用紙箱である。
【００１１】
このような構成の把手付き包装用紙箱も素材である矩形厚紙のうち最終的に不要となる不要紙片の全体に占める割合を小さくすることができる。そのため素材を有効活用できて素材費を少なくできる利点を有する。また、門型把手は矩形断面の箱胴部の角部を吊り下げる形に取り付けられているので包装用紙箱として面白みがある。
【図面の簡単な説明】
【００１２】
【図１】第１の実施形態に係る把手付き包装用紙箱１の完成後の斜視図である。
【図２】第１の実施形態に係る把手付き包装用紙箱１の展開平面図である。
【図３】第１の実施形態に係る把手付き包装用紙箱１の組立途中の斜視図である。
【図４】第２の実施形態に係る把手付き包装用紙箱１ａの完成後の斜視図である。
【図５】第２の実施形態に係る把手付き包装用紙箱１ａの組立途中の斜視図である。
【図６】第３の実施形態に係る把手付き包装用紙箱１ｂの完成後の斜視図である。
【図７】第３の実施形態に係る把手付き包装用紙箱１ｂの展開平面図である。
【図８】第３の実施形態に係る把手付き包装用紙箱１ｂの組立途中の斜視図である。
【図９】従来の把手付き包装用紙箱の外観の例である。
【図１０】従来の把手付き包装用紙箱の展開平面図の例である。
【発明を実施するための形態】
【００１３】
以下、本発明に係る把手付き包装用紙箱の構成例を実施形態に分けて説明する。
（第１の実施形態）
図１は本実施形態に係る把手付き包装用紙箱１の組立て完成後の斜視図、図２はその展開平面図、図３はその組立途中の状態を示す斜視図である。把手付き包装用紙箱１は図２に示す一枚の矩形厚紙２を素材として組み立てられる。図２における矩形厚紙２の上下方向を縦方向、水平方向を横方向とし、その左右辺縁を縦辺縁と呼ぶ。左右の縦辺縁は完成後には把手付き包装用紙箱１の高さ方向に伸びる。
【００１４】
図２に示すように左側の縦辺縁３ａの中央部分より対向する右側の縦辺縁３ｂに向けて左前糊代板片４ａ、左前側板片５ａ、前側板片６ａ、右前側板片７ａ、右前糊代板片８ａ、右後糊代板片８ｂ、右後側板片７ｂ、後側板片６ｂ、左後側板片５ｂ、左後糊代板片４ｂの１０個の矩形側板片が、縦辺縁３ａに平行な縦折り目線１０ａ、１１ａ、１２ａ、１３ａ、１４、１３ｂ、１２ｂ、１１ｂ、１０ｂを介して横方向に順に連設形成されている。１０個の矩形側板片の縦方向幅は同一にしてある。
【００１５】
左前側板片５ａ、前側板片６ａ、右前側板片７ａ、右後側板片７ｂ、後側板片６ｂ、左後側板片５ｂの各側板片の上縁には直線状に並ぶ横折り目線１６ａ、１７ａ、１８ａ、１８ｂ、１７ｂ、１６ｂを介して左前蓋板片２０ａ、前蓋板片２１ａ、右前蓋板片２２ａ、右後蓋板片２２ｂ、後蓋板片２１ｂ、左後蓋板片２０ｂの６個の蓋板片が各側板片と同一横幅で縦方向に延出形成されている。
【００１６】
一方、左前側板片５ａ、前側板片６ａ、右前側板片７ａ、右後側板片７ｂ、後側板片６ｂ、左後側板片５ｂの各側板片の下縁には同じく直線状に並ぶ横折り目線１６ｃ、１７ｃ、１８ｃ、１８ｄ、１７ｄ、１６ｄを介して左前底板片３０ａ、前底板片３１ａ、右前底板片３２ａ、右後底板片３２ｂ、後底板片３１ｂ、左後底板片３０ｂの６個の底板片が各側板片と同一横幅で縦方向に延出形成されている。それら下縁に延出形成された各底板片の延出形状は、同じ側板片の上縁に延出形成された蓋板片を横折り目線回りに裏返した形状にしてある。
【００１７】
更に、左前糊代板片４ａ、左前側板片５ａ、前側板片６ａ、右前側板片７ａ、右前糊代板片８ａの各上方辺縁を繋いだ折れ線と、矩形厚紙２の左側縦辺縁３ａと上側横辺縁３ｃとの間には左前把手板片３５ａ、右前把手板片３６ａの２個の把手板片が形成してあり、右後糊代板片８ｂ、右後側板片７ｂ、後側板片６ｂ、左後側板片５ｂ、左後糊代板片４ｂの各上方辺縁を繋いだ折れ線と、矩形厚紙２の右側縦辺縁３ｂと上側横辺縁３ｃとの間には右後把手板片３６ｂ、左後把手板片３５ｂの２個の把手板片が形成してある。
【００１８】
左前把手板片３５ａはＬ字を上下逆にした逆Ｌ字形状で、逆Ｌ字下側端縁は左前糊代板片４ａの上縁に折り目線を介することなく繋がっている。右前把手板片３６ａの形状は左前把手板片３５ａとは前側板片６ａの横幅中央を通る縦線に対して線対称にしてあり、二つの把手板片の逆Ｌ字上側端縁は前蓋板片２１ａの上縁の横幅中央から矩形厚紙２の上側横辺縁３ｃに向けて縦に設けた切り目４０を挟んで分離されている。左前把手板片３５ａと右前把手板片３６ａとは矩形厚紙２上で門形を形成しており、２つの逆Ｌ字形状の屈曲内側周縁はそれぞれ左前蓋板片２０ａと前蓋板片２１ａ、前蓋板片２１ａと右前蓋板片２２ａの周縁との間に切り目を設けて分離されている。
【００１９】
右前糊代板片１３ａと右後糊代板片１３ｂとの間の縦折り目線を中央縦折り目線１４とすると、中央縦折り目線１４から左側縦辺縁３ａの間に存在する１３個の板片と、中央縦折り目線１４から右側縦辺縁３ｂの間に存在する１３個の板片は、全てその形状と配置が中央縦折り目線１４に対してそれぞれ線対称に形成してある。右前把手板片３６ａと右後把手板片３６ｂとは中央縦折り目線１４を挟んで背中合わせに繋がっている。
【００２０】
次に、このような２６個の板片を形成した矩形厚紙２から把手付き包装用紙箱１を組み立てる手順について説明する。最初に矩形厚紙２を中央縦折り目線１４にて山折りして重ね合わせる。次に右前糊代板片８ａと右後糊代板片８ｂ、右前把手板片３６ａと右後把手板片３６ｂ、左前糊代板片４ａと左後糊代板片４ｂ、左前把手板片３５ａと左後把手板片３５ｂの各接合面を糊付けで貼り合わせる。
【００２１】
次に左前糊代板片４ａと左前側板片５ａ、右前側板片７ａと右前糊代板片８ａ、右後糊代板片８ｂと右後側板片７ｂ、左後側板片５ｂと左後糊代板片４ｂとをそれぞれの間の縦折り目線１０ａ、１３ａ、１３ｂ、１０ｂにて角度９０°に谷折りし、左前側板片５ａと前側板片６ａ、前側板片６ａと右前側板片７ａ、右後側板片７ｂと後側板片６ｂ、後側板片６ｂと左後側板片５ｂとはそれぞれの間の縦折り目線１１ａ、１２ａ、１２ｂ、１１ｂにて角度９０°に山折りして矩形断面の箱胴部４１を形成する。
【００２２】
箱胴部４１を形成すると、糊付けした左前把手板片３５ａと左後把手板片３５ｂからなる左把手片板３５ｃと、同じく糊付けした右前把手板片３６ａと右後把手板片３６ｂからなる右把手片３６ｃとに重なり部分が生ずるので、その重なり部分の接合面を糊付けして門型把手４２を形成する。
【００２３】
次に、箱の底を形成すべく左後底板片３０ｂ、右後底板片３２ｂ、左前底板片３０ａ、右前底板片３２ａの各底板片を横折り目線１６ｄ、１８ｄ、１６ｃ、１８ｃにて箱胴部４１の底側に山折りし、その上に後底板片３１ｂ、前底板片３１ａを順に横折り目線１７ｄ、１７ｄにて山折りして重ね合わせる。その状態で前底板片３１ａの延出端側辺縁部を接着テープにて後側板片６ｂ又は後底板片３１ｂに固定して箱底を完成させる。図３は箱底までの組み立てを終えた状態の箱１の斜視図である。
【００２４】
箱底が完成したならば開口した蓋部から収容物を箱内に収容して箱蓋の組立てに移る。箱蓋は箱底と同様にして組み立てる。まず、図３に示すように左後蓋板片２０ｂ、右後蓋板片２２ｂ、左前蓋板片２０ａ、右前蓋板片２２ａの各蓋板片を横折り目線１６ｂ、１８ｂ、１６ａ、１８ａにて箱胴部４１の蓋側に山折りし、その上に後蓋板片２１ｂ、前蓋板片２１ａを順に横折り目線１７ｂ、１７ａにて山折りして重ね合わせる。その状態で前蓋板片２１ａの延出端側辺縁部を接着テープ４５にて後側板片６ｂ又は後蓋板片２１ｂに固定して箱底を完成させる。以上の組立てにより図１に示す把手付き包装用紙箱１が完成する。
【００２５】
なお、箱胴部４１の断面を矩形とするために左前側板片５ａ、右前側板片７ａ、右後側板片７ｂ、左後側板片５ｂの横方向幅は同一幅に形成してある。また、箱１の底部及び蓋部がそれぞれ６個の底板片、６個の蓋板片で完全に塞がれるようにするには、前底板片３１ａ、後底板片３１ｂ、前蓋板片２１ａ、後蓋板片２１ｂの側板片からの延出長さを左前側板片５ａ、右前側板片７ａ、右後側板片７ｂ、左後側板片５ｂに共通の横方向幅の１〜２倍の範囲にしておく必要があり、強度的観点からは２倍が好ましい。また、完成後の門型把手４２の強度を高めるため、逆Ｌ字形状の把手板片の屈曲内側角部は直角にせずに図１に示すような斜めコーナーにしたりＲ付きコーナーにしたりするとよい。
【００２６】
本実施形態の把手付き包装用紙箱１は、素材である矩形厚紙２のうち最終的に不要となる紙片が図１の斜線で示した部分のみであり、全体に占める割合が小さい。従って、素材を有効活用することができ素材費用を少なくできる利点を有する。また、門型把手４２の下端が左右の糊代板片４ａ、４ｂ、８ａ、８ｂに繋がり、その糊代板片は箱胴部４１の側面の高さ方向全体に繋がって箱胴部４１を支持しているため吊り下げ強度が高い。従って、高さの高い箱や重い収容物を入れる箱も容易に製作できる利点を有する。
【００２７】
（第２の実施形態）
第１の実施形態の把手付き包装用紙箱１では箱胴部４１の断面形状を矩形に形成したが、本実施形態の把手付き包装用紙箱１ａはその断面形状を六角形に形成したものである。図４はその把手付き包装用紙箱１ａの組立て完成後の斜視図、図５はその箱蓋部の組み立て方を説明するための組立途中の斜視図である。
【００２８】
把手付き包装用紙箱１ａの展開平面図は図２に示した第１の実施形態のものと同じである。異なるのは箱胴部４１ａと箱底、箱蓋の組み立て方である。箱胴部４１ａを組み立てる際、左前糊代板片４ａと左前側板片５ａ、右前側板片７ａと右前糊代板片８ａ、右後糊代板片８ｂと右後側板片７ｂ、左後側板片５ｂと左後糊代板片４ｂとはそれぞれの間の縦折り目線１０ａ、１３ａ、１３ｂ、１０ｂにて９０°を超える角度θに谷折りする。左前側板片５ａと前側板片６ａ、前側板片６ａと右前側板片７ａ、右後側板片７ｂと後側板片６ｂ、後側板片６ｂと左後側板片５ｂとはそれぞれの間の縦折り目線１１ａ、１２ａ、１２ｂ、１１ｂにて谷折り角度θに等しい角度に山折りする。これにより前側板片６ａと後側板片６ｂが平行な六角形断面の箱胴部４１ａが形成される。
【００２９】
次に門型把手４２ａを第１の実施形態の場合と同様にして糊付けで組立て、続いて箱底、箱蓋の組み立てに移る。箱底、箱蓋の組み立て方は同じであるので、図５を参照して箱蓋の組み立て方を説明する。開口した蓋部から収容物を箱内に収容した後、左後蓋板片２０ｂ、右後蓋板片２２ｂを横折り目線１６ｂ、１８ｂにて箱胴部４１ａの蓋側に山折りし、その上に左前蓋板片２０ａ、右前蓋板片２２ａを横折り目線１６ａ、１８ａにて箱胴部４１ａの蓋側に山折りする。その上に後蓋板片２１ｂを横折り目線１７ｂにて山折りして重ね合わせ、最後に前蓋板片２１ａを横折り目線１７ａにて山折りして重ね合わせる。その状態で前蓋板片２１ａの延出端側辺縁部を接着テープ４５にて後側板片６ｂ又は後蓋板片２１ｂに固定する。以上の組立てにより図４に示す把手付き包装用紙箱１ａが完成する。
【００３０】
なお、前蓋板片２１ａの延出端側辺縁部が後蓋板片２１ｂを飛び越して蓋部から飛び出さないようにするため、前蓋板片２１ａ（及び、後蓋板片２１ｂ、前底板片３１ａ、後底板片３１ｂ）の延出長さは左前側板片５ａ、右前側板片７ａ、右後側板片７ｂ、左後側板片５ｂに共通の横方向幅の２倍より短くしておく。
【００３１】
本実施形態の把手付き包装用紙箱１ａは、第１の実施形態の把手付き包装用紙箱１と同様に素材である矩形厚紙２のうち不要となる紙片の全体に占める割合を小さくできる。従って、素材を有効活用することができ素材費用を少なくできる利点を有する。また、箱胴部４１ａの断面が六角形であるため断面矩形の箱よりも包装用として面白みがある。
【００３２】
（第３の実施形態）
本実施形態の把手付き包装用紙箱１ｂは第１の実施形態の把手付き包装用紙箱１の変形である。第１の実施形態の把手付き包装用紙箱１では門型把手４２が矩形断面の箱胴部４１の側板を吊り下げる形に取り付けてあったが、本実施形態の把手付き包装用紙箱１ｂでは矩形断面の角部を吊り下げる形に取り付ける。包装用紙箱の形状に更なる変化を与えて面白みを増すためである。
【００３３】
図６はその把手付き包装用紙箱１ｂの組立て完成後の斜視図、図７は展開平面図、図８はその箱蓋部の組み立て方を説明するための組立途中の斜視図である。図７に示す展開平面図は、図２に示した第１の実施形態に係る把手付き包装用紙箱１の展開平面図から前側板辺６ａ、後側板辺６ｂと、それら側板辺の上下に延出形成された前蓋板片２１ａ、前底板片３１ａ、後蓋板片２１ｂ、後底板片３１ｂの６個の板辺を削除したものに等しい。左前側板片５ａ、右前側板片７ａ、右後側板片７ｂ、左後側板辺５ｂは矩形断面の箱胴部４１ｂを構成する板片であり幅広の等しい横幅に形成してある。
【００３４】
箱底、箱蓋の除く部分の組み立て方は第１の実施形態の場合と同じである。箱胴部４１ｂの組み立ては、左前糊代板片４ａと左前側板片５ａ、右前側板片７ａと右前糊代板片８ａ、右後糊代板片８ｂと右後側板片７ｂ、左後側板片５ｂと左後糊代板片４ｂとをそれぞれの間の縦折り目線１０ａ、１３ａ、１３ｂ、１０ｂにて１３５°に谷折りし、左前側板片５ａと右前側板片７ａ、右後側板片と左後側板片５ｂとをそれぞれの間の縦折り目線１５ａ、１５ｂにて９０°に山折りして行なう。これにより矩形断面の箱胴部４１ｂが形成される。
【００３５】
続いて箱底、箱蓋を組み立てるが、組み立て方は同じであるので図８を参照して箱蓋の組み立て方を説明する。開口した蓋部から収容物を箱内に収容した後、左後蓋板片２０ｂ、右前蓋板片２２ａを横折り目線１６ｂ、１８ａにて箱胴部４１ｂの蓋側に山折りし、その上に右後蓋板片２２ｂを横折り目線１８ｂにて山折りして重ね合わせ、最後に左前蓋板片２０ａを横折り目線１６ａにて山折りして重ね合わせる。その状態で左前蓋板片２０ａの延出端側辺縁部を接着テープ４５にて右後蓋板片２２ｂ又は右後側板片７ｂに固定する。以上の組立てにより図６に示す把手付き包装用紙箱１ｂが完成する。
【００３６】
本実施形態の把手付き包装用紙箱１ｂも素材である矩形厚紙２ｂのうち最終的に不要となる紙片は図７の斜線で示した部分のみであり全体に占める割合が小さい。従って、素材を有効活用することができ素材費用を少なくできる利点を有する。また、門型把手４２ｂは矩形断面の箱胴部４１ｂの角部を吊り下げる形に取り付けられているので包装用紙箱として変化があって面白みが増している。
【符号の説明】
【００３７】
図面中、１、１ａ、１ｂは把手付き包装用紙箱、２、２ｂは矩形厚紙、３ａ、３ｂは縦辺縁、４ａは左前糊代板片、４ｂは左後糊代板片、５ａは左前側板片、５ｂは左後側板片、６ａは前側板片、６ｂは後側板片、７ａは右前側板片、７ｂは右後側板片、８ａは右前糊代板片、８ｂは右後糊代板片、１０ａ、１０ｂ、１１ａ、１１ｂ、１２ａ、１２ｂ、１３ａ、１３ｂは縦折り目線、１４は中央縦折り目線、１６ａ、１６ｂ、１６ｃ、１６ｄ、１７ａ、１７ｂ、１７ｃ、１７ｄ、１８ａ、１８ｂ、１８ｃ、１８ｄは横折り目線、２０ａは左前蓋板片、２０ｂは左後蓋板片、２１ａは前蓋板片、２１ｂは後蓋板片、２２ａは右前蓋板片、２２ｂは右後蓋板片、３０ａは左前底板片、３０ｂは左後底板片、３１ａは前底板片、３１ｂは後底板片、３２ａは右前底板片、３２ｂは右後底板片、３５ａは左前把手板片、３５ｂは左後把手板片、３５ｃは左把手片、３６ａは右前把手板片、３６ｂは右後把手板片、３６ｃは右把手片、４０は切り目、４１、４１ａ、４１ｂは箱胴部、４２、４２ａ、４２ｂは門型把手、４５は接着テープを示す。
【図１】
2011148537.tif 000003
【図２】
2011148537.tif 000004
【図３】
2011148537.tif 000005
【図４】
2011148537.tif 000006
【図５】
2011148537.tif 000007
【図６】
2011148537.tif 000008
【図７】
2011148537.tif 000009
【図８】
2011148537.tif 000010
【図９】
2011148537.tif 000011
【図１０】
2011148537.tif 000012